(57)【要約】  本発明の表示装置は、操作指示を受け取る入力部と、画面を表示する表示部と、前記表示部が表示している画面の表示方向を切り替える切替部と、前記入力部が前記表示部が表示している画面上の情報に関する操作指示を受け取った場合に、前記切替部に基づく前記画面の表示方向の切り替えを停止する停止部と、を含む。
2012137549.tif 000002
【特許請求の範囲】
【請求項１】
操作指示を受け取る入力部と、
画面を表示する表示部と、
前記表示部が表示している画面の表示方向を切り替える切替部と、
前記入力部が前記表示部が表示している画面上の情報に関する操作指示を受け取った場合に、前記切替部に基づく前記画面の表示方向の切り替えを停止する停止部と、を含む表示装置。
【請求項２】
前記停止部は、
前記切替部に基づく前記画面の表示方向の切り替えの停止を、その停止から一定時間後に解除する、請求項１に記載の表示装置。
【請求項３】
前記停止部は、
前記入力部が前記切替部に基づく前記画面の表示方向の切り替えの停止を解除する操作指示を受け取った場合に、前記切替部に基づく前記画面の表示方向の切り替えの停止を解除する、請求項１または２に記載の表示装置。
【請求項４】
画面を表示し、前記画面の表示方向を切り替える表示装置が行う表示方法であって、
前記画面上の情報に関する操作指示を受け取った場合に、前記画面の表示方向の切り替えを停止する、表示方法。
【請求項５】
前記画面の表示方向の切り替えの停止を、その停止から一定時間後に解除する、請求項４に記載の表示方法。
【請求項６】
前記画面の表示方向の切り替えの停止を解除する操作指示を受け取った場合に、前記画面の表示方向の切り替えの停止を解除する、請求項４または５に記載の表示方法。
【請求項７】
画面を表示し、前記画面の表示方向を切り替える表示装置に、
前記画面上の情報に関する操作指示を受け取った場合に、前記画面の表示方向の切り替えを停止する手順を実行させるためのプログラム。
【発明の詳細な説明】
【技術分野】
【０００１】
本発明は、表示装置、表示方法、プログラムに関する。
【背景技術】
【０００２】
特許文献１には、携帯端末の加速度を検出し、検出した加速度を基に携帯端末の姿勢を判定し、判定した姿勢を基に表示部が表示している画面の表示方向を切り替える技術が開示されている。【０００３】
しかし、特許文献１に開示された携帯端末は、携帯端末のぶれ（手元のぶれ、バイブレータ）、外的要因（乗り物内での操作）などに起因して、意図しない加速度を検出し、画面の表示方向が突然に切り替わってしまうことがあった。【０００４】
このとき、ユーザーは、単に画面の閲覧中である場合は、携帯端末を元の姿勢に戻せば元の表示方向で閲覧を継続することができるが、操作中である場合は、画面の表示方向の突然の切り替わりに起因して誤操作をしてしまうおそれがある。【０００５】
特許文献２には、通話中に画面の表示方向の切り替えを停止する技術が開示されている。しかし、この技術は、通話中以外は、画面の表示方向の切り替えを停止することはできない。
【先行技術文献】
【特許文献】
【０００６】
【特許文献１】特開２００４−２４０８７８号公報
【特許文献２】特開２０１０−２６３４３３号公報
【発明の概要】
【発明が解決しようとする課題】
【０００７】
上述したように、関連する携帯端末においては、ユーザーの操作中に、画面の表示方向の突然の切り替わりを防ぐことができないという課題があった。【０００８】
そこで、本発明の目的は、上述した課題を解決することができる表示装置、表示方法、プログラムを提供することにある。
【課題を解決するための手段】
【０００９】
本発明の表示装置は、
操作指示を受け取る入力部と、
画面を表示する表示部と、
前記表示部が表示している画面の表示方向を切り替える切替部と、
前記入力部が前記表示部が表示している画面上の情報に関する操作指示を受け取った場合に、前記切替部に基づく前記画面の表示方向の切り替えを停止する停止部と、を含む。【００１０】
本発明の表示方法は、
画面を表示し、前記画面の表示方向を切り替える表示装置が行う表示方法であって、
前記画面上の情報に関する操作指示を受け取った場合に、前記画面の表示方向の切り替えを停止する。【００１１】
本発明のプログラムは、
画面を表示し、前記画面の表示方向を切り替える表示装置に、
前記画面上の情報に関する操作指示を受け取った場合に、前記画面の表示方向の切り替えを停止する手順を実行させる。
【発明の効果】
【００１２】
本発明によれば、ユーザーが、画面上の情報に関する操作を行っている間に、画面の表示方向が突然に切り替わることを防ぐことができるという効果が得られる。
【図面の簡単な説明】
【００１３】
【図１】本発明の第１の実施形態の表示装置の構成を示すブロック図である。
【図２】本発明の第２および第３の実施形態の携帯端末の構成を示すブロック図である。
【図３】本発明の第２の実施形態の携帯端末において、メニュー画面の表示方向を縦表示と横表示にした場合の例を示す図である。
【図４】本発明の第２および第３の実施形態の携帯端末の全体動作を説明するフローチャートである。
【図５】本発明の第２の実施形態の携帯端末のイベント処理時の動作を説明するフローチャートである。
【図６】本発明の第３の実施形態の携帯端末において、メニュー画面の表示方向を縦表示と横表示にした場合の例を示す図である。
【図７】本発明の第３の実施形態の携帯端末のイベント処理時の動作を説明するフローチャートである。
【発明を実施するための形態】
【００１４】
以下に、本発明を実施するための形態について図面を参照して説明する。
（１）第１の実施形態
図１は、本発明の第１の実施形態の表示装置の構成を示すブロック図である。
【００１５】
図１に示すように、本実施形態の表示装置は、入力部１１と、表示部１２と、切替部１３と、停止部１４と、を含む。
【００１６】
入力部１１は、ユーザーからの操作指示を受け取る。
【００１７】
表示部１２は、画面を表示する。
【００１８】
切替部１３は、表示部１２が表示している画面の表示方向を縦向きの縦表示または横向きの横表示に切り替える。
【００１９】
停止部１４は、入力部１１が、表示部１２が表示している画面上の情報に関する操作指示を受け取った場合に、切替部１３に基づく画面の表示方向の切り替えを停止する。ここで、画面上の情報とは、例えば、文書、画像、メニュー、アイコンなどをいう。また、画面上の情報に関する操作指示とは、例えば、文書や画像をスクロールする操作、文書や画像を編集する操作、メニューやアイコンを選択する操作など、画面上に表示している情報に対する操作全般をいう。
【００２０】
上述したように本実施形態の表示装置によれば、表示部１２が表示している画面上の情報に関する操作指示を受け取った場合に、切替部１３に基づく画面の表示方向の切り替えを停止する。
【００２１】
したがって、ユーザーが、画面上の情報に関する操作を行っている間に、画面の表示方向が突然に切り替わることを防ぐことができ、これにより、ユーザーの誤操作を防ぐことができる。
【００２２】
本実施形態の効果を具体的に説明する。
【００２３】
例えば、文書を表示する場合、縦表示と横表示とでは、１行あたりの文字数が異なるため、縦表示と横表示が切り替わると、文書の表示状態が変更されることになる。
【００２４】
そのため、例えば、ユーザーが、文書の編集時に、文書中のある行の文字の選択や入力をしようとしているときに、縦表示と横表示が切り替わると、操作している行の位置が変更されるため、誤った文字を選択したり入力したりするといった誤操作をするおそれがある。
【００２５】
しかし、本実施形態によれば、ユーザーが、文書を編集しているときに、文書の表示状態が変更されることを防ぐことができるため、誤った文字を選択したり入力したりするといった誤操作を防ぐことができる。
（２）第２の実施形態
本実施形態は、本発明の表示装置を携帯電話機やスマートフォンである携帯端末に適用し、第１の実施形態の構成および動作を具体化した例である。
【００２６】
図２は、本発明の第２の実施形態の表示装置としての携帯端末の構成を示すブロック図である。
【００２７】
図２に示すように、本実施形態の携帯端末は、ＣＰＵ（中央処理装置；Central Processing Unit）１０１と、液晶ディスプレイ１０２と、タッチセンサー１０３と、キー１０４と、加速度センサー１０５と、無線通信部１０６と、マイク１０７と、スピーカー１０８と、ＲＡＭ（Random Access Memory）１０９と、を含む。
【００２８】
液晶ディスプレイ１０２は、図１の表示部１２に対応するものであり、画面を表示する。
【００２９】
タッチセンサー１０３およびキー１０４は、図１の入力部１１を構成する構成要素に対応するものである。
【００３０】
タッチセンサー１０３は、ユーザーの指などが接触した位置を検出し、その位置に応じた操作指示を受け取る。
【００３１】
キー１０４は、１以上のキーを含み、ユーザーが押下したキーに応じた操作指示を受け取る。
【００３２】
加速度センサー１０５は、携帯端末の加速度を検出する。
【００３３】
無線通信部１０６は、無線通信を行う。例えば、無線通信部１０６は、通話音声を無線で送受信する。
【００３４】
マイク１０７は、音声（例えば、通話音声）を集音する。
【００３５】
スピーカー１０８は、音声（例えば、通話音声）を出力する。
【００３６】
ＣＰＵ１０１は、携帯端末の全体制御を行う部分であり、図１の切替部１３に対応する切替部１０１Ａと、図１の停止部１４に対応する停止部１０１Ｂと、表示制御部１０１Ｃと、を含む。なお、図２は、ＣＰＵ１０１を構成する構成要素のうち本発明の特徴的な構成要素のみを図示しており、その他の構成要素については省略している。
【００３７】
切替部１０１Ａは、加速度センサー１０５が検出した加速度を基に携帯端末の姿勢を判定し、判定した姿勢を基に液晶ディスプレイ１０２が表示している画面の表示方向を縦表示または横表示に切り替える縦横表示切替制御を行う。図３に、メニュー画面の表示方向を縦表示と横表示にした場合の例を示す。
【００３８】
停止部１０１Ｂは、タッチセンサー１０３またはキー１０４が、液晶ディスプレイ１０２が表示している画面上の情報に関する操作指示を受け取った場合に、切替部１０１Ａの縦横表示切替制御を停止する。ここで、画面上の情報とは、例えば、文書、画像、メニュー、アイコンなどをいう。また、画面上の情報に関する操作指示とは、例えば、文書や画像をスクロールする操作、文書や画像を編集する操作、メニューやアイコンを選択する操作など、画面上に表示している情報に対する操作全般をいう。
【００３９】
具体的には、停止部１０１Ｂは、縦横表示切替制御を停止するときは、ＲＡＭ１０９に格納されている、縦横表示切替制御を一時的に無効にするための縦横表示固定フラグ１０９ＡをＯＮに設定する。
【００４０】
切替部１０１Ａは、縦横表示固定フラグ１０９ＡがＯＮのときには、一時的に縦横表示切替制御を停止し、現在の表示状態（縦表示又は横表示）を維持する。なお、縦横表示固定フラグ１０９Ａは初期時にはＯＦＦに設定されている。
【００４１】
表示制御部１０１Ｃは、切替部１０１Ａおよび停止部１０１Ｂを制御する。
【００４２】
ＲＡＭ１０９は、縦横表示固定フラグ１０９Ａなどを格納する記憶部である。
【００４３】
以下、本実施形態の携帯端末の動作について説明する。
【００４４】
最初に、本実施形態の携帯端末の全体動作について、図４のフローチャートを参照して説明する。
【００４５】
図４に示すように、まず、ＣＰＵ１０１は、携帯端末の初期設定を行う（ステップＡ１）。このとき、縦横表示固定フラグ１０９ＡはＯＦＦに設定される。
【００４６】
次に、ＣＰＵ１０１は、無線通信部１０６を待ち受け状態に遷移させる待ち受け処理を行う（ステップＡ２）。
【００４７】
以降、ＣＰＵ１０１は、各種イベントのために待機する（ステップＡ３）。ここでいうイベントとは、ユーザーから操作指示を受け取るイベントの他、無線通信部１０６が電話の着信を受け付ける着信イベントなどである。
【００４８】
その後、イベントが発生したら（ステップＡ３のＹｅｓ）、ＣＰＵ１０１は、発生したイベントに応じたイベント処理を行う（ステップＡ４）。
【００４９】
続いて、図４のステップＡ４のイベント処理時の動作について、図５のフローチャートを参照して詳細に説明する。
【００５０】
図５に示すように、イベント処理においては、まず、ＣＰＵ１０１は、液晶ディスプレイ１０２に対する表示処理以外の内部処理を行う（ステップＢ１）。
【００５１】
次に、ＣＰＵ１０１の表示制御部１０１Ｃは、液晶ディスプレイ１０２に表示しようとしている画面が、縦横表示切替制御の対象となる画面であるか否かの判定を行う（ステップＢ２）。ここで、縦横表示切替制御の対象となる画面とは、文書や画像を表示する画面、図３のメニュー画面などをいう。
【００５２】
ステップＢ２において、縦横表示切替制御の対象でない画面の場合（ステップＢ２のＮｏ）、ＣＰＵ１０１の切替部１０１Ａは、予め決められた表示方向で液晶ディスプレイ１０２に画面を表示する（ステップＢ７）。
【００５３】
一方、ステップＢ２において、縦横表示切替制御の対象となる画面の場合（ステップＢ２のＹｅｓ）、ＣＰＵ１０１の停止部１０１Ｂは、縦横表示切替制御を一時的に停止するか否かを判定する（ステップＢ３）。
【００５４】
ステップＢ３においては、例えば、現在発生しているイベントが、ユーザーから、液晶ディスプレイ１０２が表示している画面上の情報に関する操作指示を受け取ったイベントである場合、停止部１０１Ｂは、縦横表示切替制御を停止すると判定する。
【００５５】
一方、現在発生しているイベントが、ユーザーから、液晶ディスプレイ１０２が表示している画面を遷移させる操作指示を受け取ったイベントである場合がある。ここで、画面を遷移させる操作指示とは、例えば、現在の画面をクローズする操作、選択したメニューやアイコンを確定する操作（この操作を行うと、その後、選択したメニューやアイコンに応じた画面に遷移することになる）、前画面へ戻る操作などをいう。
【００５６】
画面を遷移させる操作指示の場合、第１の実施形態で述べた文書の編集時の場合とは異なり、ユーザーは、操作前の画面にて行っていた操作を、操作後の画面で引き続き行うことはなく、表示状態が切り替わっても、誤操作という問題は生じないと考えられる。
【００５７】
そこで、停止部１０１Ｂは、ユーザーから、画面を遷移させる操作指示を受け取ったイベントが発生した場合は、縦横表示切替制御を停止しないと判定する。
【００５８】
また、現在発生しているイベントが、着信イベントである場合も、その後、そのイベントに応じた画面に遷移することになるため、ユーザーの誤操作という問題は生じないと考えられる。
【００５９】
そこで、停止部１０１Ｂは、着信イベントが発生した場合も、縦横表示切替制御を停止しないと判定する。
【００６０】
ステップＢ３において、縦横表示切替制御を停止しない場合（ステップＢ３のＮｏ）、停止部１０１Ｂは、縦横表示固定フラグ１０９ＡがＯＦＦでなければ（ステップＢ４のＮｏ）、ＯＦＦに設定する（ステップＢ５）。そして、切替部１０１Ａは、加速度センサー１０５が検出した加速度を基に携帯端末の姿勢を判定し、判定した姿勢を基に液晶ディスプレイ１０２の画面の表示方向を縦表示または横表示に決定し（ステップＢ６）、決定した表示方向で液晶ディスプレイ１０２に画面を表示する（ステップＢ７）。
【００６１】
一方、ステップＢ３において、縦横表示切替制御を停止する場合（ステップＢ３のＹｅｓ）、停止部１０１Ｂは、縦横表示固定フラグ１０９ＡがＯＮでなければ（ステップＢ８のＮｏ）、ＯＮに設定する（ステップＢ９）。そして、切替部１０１Ａは、液晶ディスプレイ１０２の現在の表示方向を維持したまま、液晶ディスプレイ１０２に画面を表示する（ステップＢ７）。
【００６２】
上述したように本実施形態の携帯端末によれば、液晶ディスプレイ１０２が表示している画面上の情報に関する操作指示を受け取るイベントが発生した場合に、切替部１０１Ａの縦横表示切替制御を停止する。
【００６３】
したがって、ユーザーが、画面上の情報に関する操作を行っている間に、画面の表示方向が突然に切り替わることを防ぐことができるため、ユーザーの誤操作を防ぐことができるという効果が得られる。
【００６４】
さらに、本実施形態の携帯端末によれば、縦横表示切替制御を停止しても、以降に、上記以外のイベントが発生した場合には、縦横表示切替制御を再開するため、ユーザーは、画面の表示方向を縦表示または横表示に意図的に切り替えることができる。
（３）第３の実施形態
本実施形態の携帯端末は、第２の実施形態と比較して、以下の機能を追加した点が異なる。なお、本実施形態の携帯端末は、構成自体は第２の実施形態（図２）と同様である。
【００６５】
すなわち、本実施形態の携帯端末は、縦横表示切替制御を停止した場合に（縦横表示固定フラグ１０９ＡがＯＮ）、ユーザーが縦横表示切替制御を再開させる操作指示を行う機能を追加している。その一例として、図６に示すように、メニュー画面に「固定解除」メニューを設けておく。この「固定解除」メニューが選択されると、停止部１０１Ｂは、縦横表示固定フラグ１０９ＡをＯＦＦにする。
【００６６】
さらに、本実施形態は、縦横表示切替制御を停止してから、一定時間経過後に縦横表示切替制御を再開する機能を追加している。
【００６７】
以下、本実施形態の携帯端末の動作について説明する。
【００６８】
なお、本実施形態の携帯端末は、第２の実施形態と比較して、全体動作（図４）は同様で、イベント処理時の動作が異なる。そこで、以下では、イベント処理時の動作についてのみ、図７のフローチャートを参照して説明する。
【００６９】
図７に示すように、イベント処理においては、まず、第２の実施形態（図５）のステップＢ１〜Ｂ３と同様のステップＣ１〜Ｃ３の処理を行う。
【００７０】
ステップＣ３において、縦横表示切替制御を停止しない場合（ステップＣ３のＮｏ）、停止部１０１Ｂは、縦横表示固定フラグ１０９ＡがＯＦＦでなければ（ステップＣ４のＮｏ）、ＯＦＦに設定し（ステップＣ５）、タイマー（不図示）をリセットする（ステップＣ６）。なお、タイマーの設置場所は、携帯端末内であればよく、特に制限はない。そして、第２の実施形態（図５）のステップＢ６，Ｂ７と同様のステップＣ７，Ｃ８の処理を行う。
【００７１】
一方、ステップＣ３において、縦横表示切替制御を停止する場合（ステップＣ３のＹｅｓ）、停止部１０１Ｂは、縦横表示固定フラグ１０９ＡがＯＮでなければ（ステップＣ９のＮｏ）、ＯＮに設定し（ステップＣ１３）、タイマーをセットする（ステップＣ１４）。そして、第２の実施形態（図５）のステップＢ７と同様のステップＣ８の処理を行う。
【００７２】
また、ステップＣ９において、縦横表示固定フラグ１０９ＡがＯＮであれば（ステップＣ９のＹｅｓ）、停止部１０１Ｂは、縦横表示固定フラグ１０９ＡをＯＮからＯＦＦに解除するか否かを判定する（ステップＣ１０）。
【００７３】
ステップＣ１０においては、現在発生しているイベントが、ユーザーから、図６の「固定解除」メニューを選択する操作指示を受け取ったイベントである場合や（「固定解除」メニューの選択は、画面を遷移させるものではなく、ステップＣ３において「Ｙｅｓ」と判定される）、縦横表示固定フラグ１０９ＡをＯＮにしたときにセットしたタイマーが一定時間経過したことを示している場合、停止部１０１Ｂは、縦横表示固定フラグ１０９Ａを解除すると判定する。
【００７４】
ステップＣ１０において、縦横表示固定フラグ１０９Ａを解除する場合（ステップＣ１０のＹｅｓ）、停止部１０１Ｂは、縦横表示固定フラグ１０９ＡをＯＦＦに設定し（ステップＣ１１）、タイマーをリセットする（ステップＣ１２）。そして、第２の実施形態（図５）のステップＢ６，Ｂ７と同様のステップＣ７，Ｃ８の処理を行う。
【００７５】
一方、ステップＣ１０において、縦横表示固定フラグ１０９Ａを解除しない場合（ステップＣ１０のＮｏ）、第２の実施形態（図５）のステップＢ７と同様のステップＣ８の処理を行う。
【００７６】
上述したように本実施形態の携帯端末によれば、切替部１０１Ａの縦横表示切替制御を停止した場合でも（縦横表示固定フラグ１０９ＡがＯＮ）、ユーザーの操作や、一定時間の経過後に、縦横表示固定フラグ１０９ＡをＯＦＦにして、縦横表示切替制御を再開することができる。
【００７７】
その他の効果は第２の実施形態と同様である。
【００７８】
以上、実施形態を参照して本発明を説明したが、本発明は上記実施形態に限定されものではない。本発明の構成や詳細には、本発明の範囲内で当業者が理解し得る様々な変更をすることができる。
【００７９】
例えば、上記実施形態では、本発明の表示装置の一例として携帯電話機やスマートフォンを挙げたが、本発明はこれに限定されず、ゲーム機、タブレット型ＰＣ（Personal Computer）、ノート型ＰＣなどにも適用することが可能である。
【００８０】
また、第３の実施形態では、メニュー画面に「固定解除」メニューを設けた例を挙げたが、本発明はこれに限定されず、表示装置の筐体に「固定解除」ボタンを物理的に設けても良いし、キー１４を構成する任意の１以上のキーが押下されたことをもって「固定解除」の選択・確定がなされたことにしても良い。
【００８１】
また、本発明の表示装置にて行われる方法は、コンピュータに実行させるためのプログラムに適用してもよい。また、そのプログラムを記憶媒体に格納することも可能であり、ネットワークを介して外部に提供することも可能である。
【００８２】
本出願は、２０１１年４月６日に出願された日本出願特願２０１１−０８４４６８を基礎とする優先権を主張し、その開示の全てをここに取り込む。
【図１】
2012137549.tif 000003
【図２】
2012137549.tif 000004
【図３】
2012137549.tif 000005
【図４】
2012137549.tif 000006
【図５】
2012137549.tif 000007
【図６】
2012137549.tif 000008
【図７】
2012137549.tif 000009
【国際調査報告】
2012137549.tif 000010
2012137549.tif 000011